(57)【要約】自車両（Ｖ）のドアの施解錠装置（２７）が解錠されていることを前提条件にして、自車両の外部にある遠隔操作器（２８）からの遠隔操作指令に基づいて、自律走行制御機能及び前記ドアの自動施解錠機能を備えた自車両を、目標停車位置まで自律走行制御させる方法において、前記車両が自律走行制御を実行中は、前記自動施解錠機能によるドアの施解錠装置の施錠を禁止し、前記車両が前記目標停車位置に停車した場合に、前記車両と前記遠隔操作器との距離（Ｌ）を検出し、前記車両が停車してから前記ドアの施解錠装置を自動施解錠機能により施錠するまでの時間的間隔（ｔ）を、前記距離に応じた時間的間隔に設定し、前記時間的間隔が経過した時に、前記ドアの施解錠装置を前記自動施解錠機能により施錠する。
2020121012.tif 000002
【特許請求の範囲】
【請求項１】
車両のドアの施解錠装置が解錠されていることを前提条件にした自律走行制御であって、車両の外部にある遠隔操作器からの遠隔操作指令に基づいて、自律走行制御機能及び前記ドアの自動施解錠機能を備えた車両を、目標停車位置まで自律走行制御させる方法において、
前記車両が自律走行制御を実行中は、前記自動施解錠機能によるドアの施解錠装置の施錠を禁止し、
前記車両が前記目標停車位置に停車した場合に、前記車両と前記遠隔操作器との距離を検出し、
前記車両が停車してから前記ドアの施解錠装置を自動施解錠機能により施錠するまでの時間的間隔を、前記距離に応じた時間的間隔に設定し、
前記時間的間隔が経過した時に、前記ドアの施解錠装置を前記自動施解錠機能により施錠する車両走行制御方法。
【請求項２】
前記距離が短いほど、前記時間的間隔を相対的に長く設定する請求項１に記載の車両走行制御方法。
【請求項３】
駐車中の車両を目標停車位置に出庫する自律走行制御においては、車両を目標停車位置に入庫する自律走行制御に比べ、前記時間的間隔を相対的に長く設定する請求項２に記載の車両走行制御方法。
【請求項４】
前記車両の位置、車速及び走行方向を検出し、
前記遠隔操作器の位置、移動速度及び移動方向を検出し、
前記遠隔操作器に対して前記車両が離れる方向へ走行しているのか、前記車両に対して前記遠隔操作器が離れる方向へ移動しているのかを判断し、
前記遠隔操作器に対して前記車両が離れる方向へ走行している場合は、前記車両に対して前記遠隔操作器が離れる方向へ移動している場合に比べ、前記時間的間隔を相対的に長く設定する請求項２に記載の車両走行制御方法。
【請求項５】
前記車両の周囲に移動物体が存在するか否かを検出し、
前記移動物体が存在する場合は、前記移動物体が存在しない場合に比べ、前記時間的間隔を相対的に短く設定する請求項２に記載の車両走行制御方法。
【請求項６】
前記目標停車位置に停車した履歴情報を蓄積し、
前記目標停車位置に停車した履歴回数が大きいほど、前記時間的間隔を相対的に長く設定する請求項２に記載の車両走行制御方法。
【請求項７】
自律走行制御機能を備えた車両を自律走行制御する走行制御器と、
現在位置から目標停車位置までの経路を演算し、前記走行制御器に走行指令を出力する制御器と、
前記車両のドアの施解錠装置を自動施解錠制御する施解錠制御器と、
前記車両の外部から前記制御器の実行又は停止を指令する遠隔操作器と、
前記車両が前記目標停車位置に停車した場合に、前記車両と前記遠隔操作器との距離を検出する距離検出器と、
前記車両が停車してから前記ドアの施解錠装置を施錠するまでの時間的間隔を、前記距離に応じた時間的間隔に設定する施錠時間設定部と、を備え、
前記施解錠制御器は、
前記車両が自律走行制御を実行中は、前記ドアの施解錠装置の施錠を禁止し、
前記施錠時間設定部により設定された時間的間隔が経過した時に、前記ドアの施解錠装置を施錠する車両走行制御装置。
【発明の詳細な説明】
【技術分野】
【０００１】  本発明は、自律走行制御が可能な自車両を遠隔操作する車両走行制御方法及び車両走行制御装置に関するものである。
【背景技術】
【０００２】  携帯機との無線通信により車両ドアを施解錠する装置において、携帯機が車両から所定距離以上離れたら、自動的にドアを施錠するものが知られている（特許文献１）。
【先行技術文献】
【特許文献】
【０００３】
【特許文献１】特開２０１６−５３２４２号公報
【発明の概要】
【発明が解決しようとする課題】
【０００４】  ところで、自律走行制御が可能な自車両を車外から遠隔操作する自律走行制御システムにおいて、ドアを解錠した状態でないと遠隔操作による自律走行制御が実行できない仕様のものがある。このような制約がある場合、上記従来技術のような、携帯機が車両から所定距離以上離れたらドアを施錠するシステムを適用すると、施錠と同時に遠隔操作による自律走行制御が停止するので、状況に応じたタイミングでドアを施錠できないという問題がある。【０００５】  本発明が解決しようとする課題は、自律走行制御が可能な自車両を車外から遠隔操作する場合であって、ドアの解錠が自律走行制御の前提条件とされているときでも、状況に応じたタイミングでドアを施錠できる車両走行制御方法及び車両走行制御装置を提供することである。
【課題を解決するための手段】
【０００６】  本発明は、車両が自律走行制御を実行中は、自動施解錠機能によるドアの施解錠装置の施錠を禁止する一方、車両が停車してからドアの施解錠装置を自動施解錠機能により施錠するまでの時間的間隔を、車両が目標停車位置に停車した場合における車両と遠隔操作器との距離に応じた時間的間隔に設定し、当該時間的間隔が経過した時に、ドアの施解錠装置を自動施解錠機能により施錠することによって、上記課題を解決する。
【発明の効果】
【０００７】  本発明によれば、車両が自律走行制御を実行中は、自動施解錠機能によるドアの施解錠装置の施錠を禁止する一方、車両が停車してからの自動施錠時間を、車両と遠隔操作器との距離に応じた時間に設定しているので、状況に応じたタイミングでドアを自動施錠することができる。
【図面の簡単な説明】
【０００８】
【図１】本発明の車両走行制御方法及び車両走行制御装置を適用したリモート駐車システムを示すブロック図である。
【図２】図１の遠隔操作器の位置検出器の一例を示す図である。
【図３】図１のリモート駐車システムで実行される制御手順を示すフローチャートである。
【図４】図３のステップＳ１６のサブルーチンの一例を示すフローチャートである。
【図５Ａ】図１の施錠時間設定部で用いられる制御マップの一例を示す図である。
【図５Ｂ】図１の施錠時間設定部で用いられる制御マップの他の例を示す図である。
【図６Ａ】図１の施錠時間設定部で用いられる制御マップのさらに他の例を示す図である。
【図６Ｂ】図１の施錠時間設定部で用いられる制御マップのさらに他の例を示す図である。
【図６Ｃ】図１の施錠時間設定部で用いられる制御マップのさらに他の例を示す図である。
【図６Ｄ】図１の施錠時間設定部で用いられる制御マップのさらに他の例を示す図である。
【図７Ａ】図１のリモート駐車システムで実行される後退リモート駐車の一例を示す平面図（その１）である。
【図７Ｂ】図１のリモート駐車システムで実行される後退リモート駐車の一例を示す平面図（その２）である。
【図７Ｃ】図１のリモート駐車システムで実行される後退リモート駐車の一例を示す平面図（その３）である。
【図７Ｄ】図１のリモート駐車システムで実行される後退リモート駐車の一例を示す平面図（その４）である。
【図８】図５Ａ又は図５Ｂに示す制御マップが適用されるシーンの一例を示す平面図である。
【図９】図６Ａに示す制御マップが適用されるシーンの一例を示す平面図である。
【図１０】図６Ｂに示す制御マップが適用されるシーンの一例を示す平面図である。
【図１１】図６Ｃに示す制御マップが適用されるシーンの一例を示す平面図である。
【発明を実施するための形態】
【０００９】  以下、本発明の実施形態を図面に基づいて説明する。図１は、本発明の車両走行制御方法及び車両走行制御装置を適用したリモート駐車システム１を示すブロック図である。本明細書において「自律走行制御」とは、ドライバの運転操作に依ることなく、車載された走行制御装置の自動制御により、車両を走行させることをいい、「自律駐車制御」とは、自律走行制御の一種であって、ドライバの運転操作に依ることなく、車載された走行制御装置の自動制御により、車両を駐車（入庫又は出庫）させることをいうものとする。また、「駐車」とは、駐車スペースへ車両を継続的に止めておくことをいうが、「駐車経路」という場合には、駐車スペースへの車庫入れ経路のみならず、駐車スペースからの車庫出し経路をも含むものとする。その意味で、「駐車時の車両走行制御方法及び車両走行制御装置」は、駐車スペースへの車庫入れ時の車両の走行制御と、駐車スペースからの車庫出し時の車両走行制御との両方が含まれる。なお、車庫入れを入庫とも言い、車庫出しを出庫とも言う。以下の実施形態においては、本発明に係る走行制御方法及び走行制御装置を、遠隔操作による自律駐車制御に適用した一例を挙げて、本発明の具体例を説明する。
【００１０】  本実施形態のリモート駐車システム１は、駐車スペースへの車庫入れ又は駐車スペースからの車庫出しをする場合に、自律走行制御によりこれらの車庫入れ又は車庫出しを行うシステムであるが、その操作途中でドライバが降車し、安全を確認しながら、遠隔操作器により実行指令を送信し続けることで、自律駐車制御を継続する。そして、車両が障害物と衝突するおそれがある場合には、停止指令を送信したり又は実行指令の送信を中止したりすることで、自律駐車制御を停止するものである。以下、遠隔操作を併用した車庫入れ自律走行制御モードをリモート入庫モード、遠隔操作を併用した車庫出し自律走行制御モードをリモート出庫モードともいう。
【００１１】  たとえば、幅狭の車庫や両隣に他車両が駐車している駐車場など、サイドドアが充分に開くほど余裕がない幅狭の駐車スペースでは、ドライバの乗降が困難となる。このような場合でも駐車を可能とするため、遠隔操作を併用したリモート入庫モードやリモート出庫モードが利用される。そして、車庫入れする場合には、リモート入庫モードを起動し、選択した駐車スペースへの入庫経路を演算して自律入庫制御が開始されたら、ドライバは遠隔操作器を所持して降車し、遠隔操作器により実行指令を送信し続けることで車庫入れを完了する。また、当該駐車スペースからの車庫出しする場合には、ドライバは所持した遠隔操作器を用いて車両の内燃機関又は駆動用モータをＯＮし、さらにリモート出庫モードを起動し、選択した車庫出し位置への出庫経路を演算して自律出庫制御が開始されたら、ドライバは遠隔操作器により実行指令を送信し続けることで車庫出しを完了し、その後に乗車する。本実施形態のリモート駐車システム１は、このような遠隔操作を併用したリモート入庫モードと、同じく遠隔操作を併用したリモート出庫モードとを備えるシステムである。特に本実施形態の自律走行制御においては、自車両Ｖのドアが解錠状態（アンロック）であることを前提に成立するものであり、自律走行制御を開始する時及び自律走行制御中にドアの施解錠装置が施錠状態（ロック）になると、当該自律走行制御を中断する。なお、自律駐車制御の一例として、図７Ａ〜図７Ｄに示す後退自律駐車制御を例示するが、縦列自律駐車その他の自律駐車にも本発明を適用することができる。
【００１２】  本実施形態のリモート駐車システム１は、目標駐車スペース設定器１１、車両位置検出器１２、物体検出器１３、遠隔操作器の位置検出器１４、駐車経路生成部１５、物体減速演算部１６、経路追従制御部１７、目標車速生成部１８、操舵角制御部１９、車速制御部２０、距離演算部２１、施錠時間設定部２２、施解錠制御部２３、移動物体検出部２４、相対移動演算部２５、停車履歴蓄積部２６、施解錠装置２７及び遠隔操作器２８を備える。以下、各構成を説明する。
【００１３】  目標駐車スペース設定器１１は、リモート入庫モードの際には、自車両の周辺に存在する駐車スペースを探索し、駐車可能な駐車スペースの中から操作者に所望の駐車スペース（本発明に係る目標停車位置に相当する。）を選択させ、この駐車スペースの位置情報（自車両の現在位置からの相対的位置座標や、緯度・経度など）を駐車経路生成部１５に出力する。また、目標駐車スペース設定器１１は、リモート出庫モードの際には、現在駐車している自車両の周囲に存在する出庫スペースを探索し、出庫可能な出庫スペースの中から操作者に所望の出庫スペースを選択させ、この出庫スペースの位置情報（自車両の現在位置からの相対的位置座標や、緯度・経度など）を駐車経路生成部１５に出力する。なお、出庫スペースとは、リモート出庫モードの際に、操作者が出庫操作を行ったのち、乗車する際の自車両の一時停車位置（本発明に係る目標停車位置に相当する。）をいう。
【００１４】  目標駐車スペース設定器１１は、上述した機能を発揮するために、リモート入庫モード又はリモート出庫モードを入力操作する入力スイッチと、自車両の周囲を撮影する複数のカメラ（不図示，後述する物体検出器１３を共用してもよい。）と、複数のカメラで撮影された画像データから駐車可能な駐車スペースを探索するソフトウェアプログラムがインストールされたコンピュータと、駐車可能な駐車スペースを含めた画像を表示するタッチパネル型ディスプレイと、を備える。そして、ドライバなどの操作者が、入力スイッチによりリモート入庫モードを選択すると、複数のカメラにより自車両の周囲の画像データを取得し、駐車可能な駐車スペースを含む画像をディスプレイに表示する。操作者が、表示された駐車スペースから所望の駐車スペースを選択すると、目標駐車スペース設定器１１は、この駐車スペースの位置情報（自車両の現在位置からの相対的位置座標や、緯度・経度など）を駐車経路生成部１５に出力する。なお、駐車可能な駐車スペースを探索する場合に、ナビゲーション装置の地図情報に詳細な位置情報を有する駐車場情報が含まれるときは、当該駐車場情報を用いてもよい。また、ドライバなどの操作者が、遠隔操作器２８を用いて自車両の内燃機関又は駆動用モータを起動し、遠隔操作器２８の入力スイッチによりリモート出庫モードを選択した場合には、複数のカメラにより自車両の周囲の画像データを取得し、出庫可能な出庫スペースを含む画像を遠隔操作器２８のディスプレイに表示する。そして、操作者が、表示された出庫スペースから所望の出庫スペースを選択すると、目標駐車スペース設定器１１は、この出庫スペースの位置情報（自車両の現在位置からの相対的位置座標や、緯度・経度など）を駐車経路生成部１５に出力する。
【００１５】  車両位置検出器１２は、ＧＰＳユニット、ジャイロセンサ、および車速センサなどから構成され、ＧＰＳユニットにより複数の衛星通信から送信される電波を検出し、自車両の位置情報を周期的に取得するとともに、取得した自車両の位置情報と、ジャイロセンサから取得した角度変化情報と、車速センサから取得した車速とに基づいて、自車両の現在位置を検出する。車両位置検出器１２により検出された自車両の位置情報は、所定時間間隔で駐車経路生成部１５及び経路追従制御部１７に出力される。
【００１６】  物体検出器１３は、自車両の周辺に、障害物などの物体が存在するか否かを探索するものであり、カメラ、レーダー（ミリ波レーダー，レーザーレーダー，超音波レーダーなど）若しくはソナーなど、又はこれらを組み合わせたものを備える。これらのカメラ、レーダー若しくはソナー又はこれらを組み合わせたものは、自車両の周囲の外板部に装着されている。物体検出器１３の装着位置としては、特に限定はされないが、たとえば、フロントバンパの中央及び両サイド、リヤバンパの中央及び両サイド、左右のセンターピラー下部のシルアウタなどの全箇所又はこれらの一部箇所に装着することができる。また、物体検出器１３は、カメラやレーダーなどで検出された物体の位置を特定するためのソフトウェアプログラムがインストールされたコンピュータを備え、特定された物体情報（物標情報）とその位置情報（自車両の現在位置からの相対的位置座標や、緯度・経度など）は、駐車経路生成部１５と、物体減速演算部１６へ出力され、自律駐車制御の開始前においては、駐車経路生成部１５による駐車経路の生成に供され、自律駐車制御中においては、不意な障害物などの物体を検出した場合に、物体減速演算部１６により自車両を減速又は停車させる制御に供される。
【００１７】  遠隔操作器２８の位置検出器１４は、後述する遠隔操作器２８が車外に持ち出された場合に、その位置を特定するための装置であり、たとえば、図２に示すように、自車両Ｖの異なる位置に設けられた少なくとも２つのアンテナ２９，２９と、遠隔操作器２８のアンテナ２８１と、車両Ｖのアンテナ２９，２９と遠隔操作器のアンテナ２８１との間の電波強度を検出するセンサと、センサにて検出された電波強度から三角測量法などを用いて遠隔操作器２８の位置を演算するソフトウェアプログラムがインストールされたコンピュータと、から構成されている。遠隔操作器２８の位置を特定するための電波は、所定時間間隔で継続して送信され、時々刻々変化する自車両Ｖに対する遠隔操作器２８の位置を、たとえば自車両Ｖに対する相対的な位置情報として特定する。なお、遠隔操作器２８の位置を特定するための電波は、遠隔操作器２８からの実行指令信号を用いることができる。
【００１８】  遠隔操作器２８の位置を特定するための電波は、遠隔操作器２８のアンテナ２８１から車両Ｖのアンテナ２９，２９へ所定時間間隔で送信してもよいし、車両Ｖのアンテナ２９，２９から遠隔操作器２８のアンテナ２８１へ所定時間間隔で送信してもよい。前者の場合は、車両Ｖのアンテナ２９，２９と遠隔操作器のアンテナ２８１との間の電波強度を検出するセンサと、センサにて検出された電波強度から三角測量法などを用いて遠隔操作器２８の位置を演算するソフトウェアプログラムがインストールされたコンピュータは、車両Ｖに設けられ、後者の場合は遠隔操作器２８に設けられる。遠隔操作器２８の位置検出器１４にて検出された遠隔操作器の位置情報（自車両Ｖに対する相対的な位置情報）は、距離演算部２１に出力される。なお、遠隔操作器２８は操作者により車外へ持ち出されることから、遠隔操作器２８の位置検出器１４により検出される遠隔操作器２８の位置情報は、操作者の位置情報でもある。
【００１９】  駐車経路生成部１５は、予め記憶されている自車両の大きさ（車幅、車長及び最小回転半径など）と、目標駐車スペース設定器１１からの目標駐車位置（リモート入庫モードの場合は駐車スペースの位置情報、リモート出庫モードの場合は出庫スペースの位置情報を言う。以下同じ。）と、車両位置検出器１２からの自車両の現在位置情報と、物体検出器１３からの物体（障害物）の位置情報とを入力し、自車両の現在位置から目標駐車位置に向かう駐車経路（リモート入庫モードの場合は入庫経路、リモート出庫モードの場合は出庫経路をいう。以下同じ。）であって、物体に衝突又は干渉しない駐車経路を演算する。図７Ａ〜７Ｄは、リモート入庫モードの一例を示す平面図である。図７Ａに示す自車両Ｖの現在位置において、ドライバが入力スイッチを操作してリモート入庫モードを選択すると、目標駐車スペース設定器１１は３つの駐車可能な駐車スペースＰＳ１〜ＰＳ３を探索してこれらを含む画像をディスプレイに表示し、これに対してドライバが駐車スペースＰＳ１を選択したとする。この場合、駐車経路生成部１５は、図７Ａに示す現在位置から、図７Ｂ、図７Ｃ及び図７Ｄに示す駐車スペースＰＳ１に至る入庫経路Ｒ１，Ｒ２を演算する。
【００２０】  なお、図７Ｄに示す駐車位置において、点線で示すように自車両Ｖの両隣に他車両Ｖ３，Ｖ４が駐車中であってドライバがドアを開いて乗車し難い場合には、リモート出庫モードにて自車両Ｖを出庫させることもできる。すなわち、図７Ｄに示す状態で、ドライバが遠隔操作器２８を用いて自車両Ｖの内燃機関又は駆動用モータを起動し、遠隔操作器２８の入力スイッチを操作してリモート出庫モードを選択したとすると、目標駐車スペース設定器１１は、たとえば図７Ｂに示す出庫可能な出庫スペースＳ１を探索して遠隔操作器２８のディスプレイに表示する。これに対してドライバが当該出庫スペースＳ１を選択したとすると、駐車経路生成部１５は、図７Ｄに示す現在位置から、図７Ｃ及び図７Ｂに示す出庫スペースに至る出庫経路を演算する。以上のように、駐車経路生成部１５は、リモート入庫モードの場合は、現在位置から駐車スペースに至る入庫経路を演算し、リモート出庫モードの場合は、現在位置から出庫スペースに至る出庫経路を演算する。そして、これらの入庫経路又は出庫経路を経路追従制御部１７及び目標車速生成部１８に出力する。
【００２１】  物体減速演算部１６は、物体検出器１３からの障害物その他の物体の位置情報を入力し、物体との距離と、車速とに基づいて、物体と衝突するまでの時間（ＴＴＣ：Ｔｉｍｅ  ｔｏ  Ｃｏｌｌｉｓｉｏｎ）を演算し、自車両の減速開始タイミングを演算する。たとえば、図７Ａ〜図７Ｄに示すリモート入庫モードにおいて、障害物としての物体が駐車場の壁Ｗである場合には、図７Ａ〜図７Ｃに示すように壁Ｗとの距離が所定以上である場合は、車速を初期設定値とし、図７Ｄに示すように自車両Ｖが壁Ｗに衝突するまでの時間ＴＴＣが所定値以下になるタイミングで、自車両Ｖの車速を減速する。また、図７Ａ〜図７Ｄに示す一連の自律駐車制御を実行中に、駐車経路の中に不意な障害物を検出した場合も同様に、自車両Ｖがその障害物に衝突するまでの時間ＴＴＣが所定値以下になるタイミングで、自車両Ｖの車速を減速又は停車させる。この減速開始タイミングは、目標車速生成部１８に出力する。
【００２２】  経路追従制御部１７は、駐車経路生成部１５からの入庫経路又は出庫経路と、車両位置検出器１２からの自車両の現在位置とに基づいて、所定時間間隔で自車両を入庫経路又は出庫経路に沿った経路に追従するための目標操舵角を演算する。図７Ａ〜図７Ｄの入庫経路Ｒ１，Ｒ２についていえば、図７Ａに示す現在位置から図７Ｂに示す切り返し位置まで直進する入庫経路Ｒ１の目標操舵角と、図７Ｂに示す切り返し位置から図７Ｃ及び図７Ｄに示す駐車位置まで左旋回する入庫経路Ｒ２の目標操舵角とを、自車両Ｖの現在位置ごとに所定時間間隔で演算し、操舵角制御部１９に出力する。
【００２３】  目標車速生成部１８は、駐車経路生成部１５からの入庫経路又は出庫経路と、物体減速演算部１６からの減速開始タイミングとに基づいて、所定時間間隔で自車両Ｖを入庫経路又は出庫経路に沿った経路に追従する際の目標車速を演算する。図７Ａ〜図７Ｄの入庫経路についていえば、図７Ａに示す現在位置から発進して図７Ｂに示す切り返し位置で停止する際の目標車速と、図７Ｂに示す切り返し位置から発進（後退）して図７Ｃに示す駐車位置の途中まで左旋回する際の目標車速と、図７Ｄに示す壁Ｗに接近する際の目標車速とを、自車両Ｖの現在位置ごとに所定時間間隔で演算し、車速制御部２０に出力する。また、図７Ａ〜図７Ｄに示す一連の自律駐車制御を実行中に、駐車経路の中に不意な障害物を検出した場合は、物体減速演算部１６から減速又は停車タイミングが出力されるので、これに応じた目標車速を車速制御部２０に出力する。
【００２４】  操舵角制御部１９は、経路追従制御部１７からの目標操舵角に基づいて、自車両Ｖの操舵系システムに設けられた操舵アクチュエータを動作する制御信号を生成する。また、車速制御部２０は、目標車速生成部１８からの目標車速に基づいて、自車両Ｖの駆動系システムに設けられたアクセルアクチュエータを動作する制御信号を生成する。これら操舵角制御部１９と車速制御部２０とを同時に制御することで、自律駐車制御が実行される。
【００２５】  遠隔操作器２８は、目標駐車スペース設定器１１にて設定した自律駐車制御の実行を継続するか停止するかを、操作者Ｕが車外から指令する。そのため、経路追従制御部１７及び目標車速生成部１８（又はこれに代えて、操舵角制御部１９及び車速制御部２０でもよい）に実行継続指令信号又は実行停止信号を送信するための、短距離通信機能（図７に示すアンテナ２８１など）を備え、車両Ｖに設けられたアンテナ２９，２９との間で通信を行う。また、リモート出庫モードにおいては、自車両Ｖの駆動系システム（内燃機関又は駆動用モータ）の始動／停止スイッチと、リモート出庫モードを入力する入力スイッチと、出庫スペースを含む画像を表示するディスプレイとが必要とされるため、これらの機能を備えた携帯型コンピュータで構成することが好ましい。なお、遠隔操作器２８から経路追従制御部１７及び目標車速生成部１８（又はこれに代えて、操舵角制御部１９及び車速制御部２０でもよい）に実行継続指令信号又は実行停止信号を送信する手段は、電気通信回線網を用いてもよい。また、後述する自車両Ｖのドアの施解錠装置２７を遠隔操作により自動施錠及び自動解錠する施解錠制御部２３を遠隔操作器２８に設けてもよい。
【００２６】  特に本実施形態のリモート駐車システム１では、自車両Ｖのドア（フロントドア及びリヤドアを含む）の施解錠装置２７が、解錠状態（アンロック）であることを前提条件にして自律走行制御が実行される。すなわち、ドアの施解錠装置２７が施錠状態（ロック）であると、自律走行制御が成立せず、自律走行制御が開始されないだけでなく、自律走行制御中にドアの施解錠装置２７が解錠状態から施錠状態になると、自律走行制御が中断される。なお、ドアの施解錠装置２７は、従来公知のものを用いることができ、アクチュエータにより、ドアを自動施錠及び自動解錠するものである。施解錠制御部２３は、後述する施錠時間設定部２２からの施錠指令信号により施解錠装置２７を自動施錠するほか、図示しないリモートコントロールキーからの施錠指令信号又は解錠指令信号を受信した場合に、施解錠装置２７を制御して自動施錠又は自動解錠する。
【００２７】  距離演算部２１は、車両位置検出器１２からの自車両Ｖの現在位置と、遠隔操作器２８の位置検出器１４からの遠隔操作器２８の現在位置とから、自車両Ｖが目標停車位置に停車した場合におけるこれらの距離、たとえば直線距離を演算する。たとえば、図２に示すように、遠隔操作器２８の位置検出器１４、すなわち自車両Ｖの異なる位置に設けられた少なくとも２つのアンテナ２９，２９と、遠隔操作器２８のアンテナ２８１と、車両Ｖのアンテナ２９，２９と遠隔操作器のアンテナ２８１との間の電波強度を検出するセンサと、センサにて検出された電波強度から三角測量法などを用いて遠隔操作器２８の位置を演算するソフトウェアプログラムがインストールされたコンピュータとを用いて、自車両Ｖと遠隔操作器２８との直線距離が演算される。距離演算部２１にて演算された距離は、施錠時間設定部２２に出力される。
【００２８】  施錠時間設定部２２は、自車両Ｖが目標停車位置に停車してから、当該自車両Ｖのドアの施解錠装置２７を自動施錠するまでの時間ｔ（時間的間隔をいう、以下、単に時間ともいう。）を、距離演算部２１で演算された自車両Ｖと遠隔操作器２８との距離Ｌに応じた時間に設定する。具体的には、距離Ｌと時間ｔとの関係を以下のように設定する。
【００２９】  施錠時間設定部２２は、好ましくは、距離演算部２１で演算された自車両Ｖと遠隔操作器２８との距離Ｌが短いほど、時間ｔを相対的に長く設定する。たとえば、図５Ａは、施錠時間設定部２２で用いられる制御マップの一例を示す図である。図５Ａに示す例は、距離演算部２１で演算された自車両Ｖと遠隔操作器２８との距離Ｌが短いほど、時間ｔを直線的且つ連続的に長く設定する例（負の傾きの一次関数）である。また、図５Ｂは、施錠時間設定部２２で用いられる制御マップの他の例を示す図である。図５Ｂに示す例は、距離演算部２１で演算された自車両Ｖと遠隔操作器２８との距離Ｌが短いほど、時間ｔを段階的に長く設定する例（負の傾きの一次関数）である。また、図示は省略するが、図５Ａにおいて、直線的ではなく、曲線的且つ連続する負の傾きの関係であってもよい。また、図示は省略するが、図５Ｂにおいて、各段階における関係が負の傾きを有してもよい。いずれの場合も、距離Ｌが短いほど、時間ｔを相対的に長く設定する制御例に含まれる。
【００３０】  自車両Ｖが目標停車位置、たとえば入庫モードの場合は図７Ｄに示す目標駐車スペースＰＳ１に停車した場合、出庫モードの場合は図７Ｂに示す出庫スペースＳ１に停車した場合に、遠隔操作器２８、すなわち操作者Ｕが自車両Ｖに近づいているほど、自車両Ｖに乗り込んだり、荷物を積み込み又は積み下ろしたりするなど、ドアを開く確率が高いと言える。逆に、操作者Ｕが自車両Ｖから遠いほど、こうした動作を行う確率が低いと言える。したがって、距離演算部２１で演算された自車両Ｖと遠隔操作器２８との距離Ｌが短いほど、時間ｔを相対的に長く設定することで、施解錠装置２７によるドアの施錠のタイミングを適切なタイミング、すなわち状況に応じたタイミングに設定することができ、操作者Ｕが自車両Ｖのドアをリモコンキーなどで解錠する煩わしさが抑制できる。
【００３１】  さらに、距離演算部２１で演算された自車両Ｖと遠隔操作器２８との距離Ｌが短いほど、時間ｔを相対的に長く設定するにあたり、図６Ａ〜図６Ｄに示す各制御要因の少なくともいずれかを加味してもよい。
【００３２】  図６Ａは、施錠時間設定部２２で用いられる制御マップのさらに他の例を示す図であり、図５Ａに示す制御マップの変形例である。図６Ａに示す例は、駐車中の自車両Ｖを目標停車位置（出庫スペースＳ１）に出庫する自律走行制御、すなわち自律出庫モードにおいては、自車両Ｖを目標停車位置（目標駐車スペースＰＳ１）に入庫する自律走行制御、すなわち自律入庫モードに比べ、自車両Ｖと遠隔操作器２８との距離Ｌが同じでも、時間ｔ（時間的間隔）を相対的に長く設定する。つまり、図６Ａに実線で示す自律出庫モードの時間ｔ−距離Ｌの制御線は、同図に点線で示す自律入庫モードの時間ｔ−距離Ｌの制御線に比べ、各距離Ｌにおける時間ｔが長くなるように設定される。自律走行制御が、自律入庫モードか、自律出庫モードかは、目標駐車スペース設定器１１からの出力を施錠時間設定部２２に入力することにより、判断することができる。なお、図６Ａは、図５Ａに示す制御マップの変形例を示したが、図５Ｂその他の制御マップを同様に変形してもよい。
【００３３】  一般的に、自律出庫モードにて自車両Ｖを出庫スペースＳ１に出庫させたら、操作者Ｕは、自車両Ｖに乗車したり、その前に荷物を積み込んだりするため、ある程度の時間の余裕が必要とされる。これに対して、自律入庫モードにて自車両Ｖを駐車スペースＰＳ１に入庫させたら、そのまま操作を終了して立ち去ることが多い。したがって、自律出庫モードの場合には、自律入庫モードの場合に比べて、距離Ｌに対する時間ｔを相対的に長く設定することで、施解錠装置２７によるドアの施錠のタイミングを適切なタイミング、すなわち状況に応じたタイミングに設定することができ、操作者Ｕが自車両Ｖのドアをリモコンキーなどで解錠する煩わしさが抑制できる。また、自律入庫モードの場合には、ドアの施錠のタイミングを短くすることで、第三者が自車両Ｖに乗り込むことも抑制できる。
【００３４】  図６Ｂは、施錠時間設定部２２で用いられる制御マップのさらに他の例を示す図であり、図５Ａに示す制御マップの変形例である。図６Ｂに示す例は、図１に示す相対移動演算部２５により、遠隔操作器２８、すなわち操作者Ｕに対して自車両Ｖが離れる方向へ走行しているのか、それとも自車両Ｖに対して遠隔操作器２８、すなわち操作者Ｕが離れる方向へ移動しているのかを判断し、遠隔操作器２８に対して自車両Ｖが離れる方向へ走行している場合は、自車両Ｖに対して遠隔操作器２８が離れる方向へ移動している場合に比べ、自車両Ｖと遠隔操作器２８との距離Ｌが同じでも、時間ｔ（時間的間隔）を相対的に長く設定する。つまり、図６Ｂに実線で示す自車両Ｖが移動している場合の時間ｔ−距離Ｌの制御線は、同図に点線で示す遠隔操作器２８が移動している場合の時間ｔ−距離Ｌの制御線に比べ、各距離Ｌにおける時間ｔが長くなるように設定される。
【００３５】  そのため、図１に示す相対移動演算部２５は、自車両Ｖが目標停車位置に停車する前後の自車両Ｖの位置、車速及び走行方向を車両位置検出器１２から入力し、また自車両Ｖが目標停車位置に停車する前後の、遠隔操作器２８の位置、移動速度及び移動方向を遠隔操作器２８の位置検出器１４から入力する。そして、自車両Ｖの移動方向と遠隔操作器２８の移動方向とを演算し、自車両Ｖが目標停車位置に停車する前後において、遠隔操作器２８に対して自車両Ｖが離れる方向へ走行しているのか、自車両Ｖに対して遠隔操作器２８が離れる方向へ移動しているのかを判断する。そして、これらの移動情報を施錠時間設定部２２へ出力する。なお、図６Ｂは、図５Ａに示す制御マップの変形例を示したが、図５Ｂその他の制御マップを同様に変形してもよい。
【００３６】  一般に、遠隔操作器２８、すなわち操作者Ｕに対して自車両Ｖが離れる方向へ走行している場合は、自律入庫モードや自律出庫モードのように、操作者Ｕの立ち位置によっては自車両Ｖが操作者Ｕから離れることがあり、停車後にドアを開けて乗り込んだり、荷物を積み込んだり、荷物を積み下ろしたりすることが少なくない。これに対して、自車両Ｖに対して遠隔操作器２８、すなわち操作者Ｕが離れる方向へ移動している場合は、自律走行制御を終了してその場から立ち去ることが多い。したがって、遠隔操作器２８に対して自車両Ｖが離れる方向へ走行している場合は、自車両Ｖに対して遠隔操作器２８が離れる方向へ移動している場合に比べ、自車両Ｖと遠隔操作器２８との距離Ｌが同じでも、時間ｔ（時間的間隔）を相対的に長く設定することで、施解錠装置２７によるドアの施錠のタイミングを適切なタイミング、すなわち状況に応じたタイミングに設定することができ、操作者Ｕが自車両Ｖのドアをリモコンキーなどで解錠する煩わしさが抑制できる。また、自車両Ｖに対して遠隔操作器２８が離れる方向へ移動している場合には、ドアの施錠のタイミングを短くすることで、第三者が自車両Ｖに乗り込むことも抑制できる。
【００３７】  図６Ｃは、施錠時間設定部２２で用いられる制御マップのさらに他の例を示す図であり、図５Ａに示す制御マップの変形例である。図６Ｃに示す例は、自車両Ｖが目標停車位置に停車した場合に、図１に示す移動物体検出部２４により、自車両Ｖの周囲に移動物体が存在するか否かを検出し、移動物体が存在する場合は、移動物体が存在しない場合に比べ、自車両Ｖと遠隔操作器２８との距離Ｌが同じでも、時間ｔ（時間的間隔）を相対的に短く設定する。つまり、図６Ｃに点線で示す自車両Ｖの周囲に移動物体が存在する場合の時間ｔ−距離Ｌの制御線は、同図に実線で示す自車両Ｖの周囲に移動物体が存在しない場合の時間ｔ−距離Ｌの制御線に比べ、各距離Ｌにおける時間ｔが短くなるように設定される。
【００３８】  そのため、図１に示す移動物体検出部２４は、物体検出器１３からの物体の位置を所定時間間隔で入力し、その物体の位置が時間的に変化している場合は移動物体であると判断し、この移動物体の存在を施錠時間設定部２２へ出力する。物体検出器１３により何らの物体も検出されない場合や、物体は検出されてもその位置が変動しない場合は、移動物体検出部２４は、移動物体は存在しないと判断し、その情報を施錠時間設定部２２へ出力する。なお、物体検出器１３がカメラなどから構成される場合には、人間の存在の有無を、画像処理などを用いて解析し、人間の存在に関する情報を施錠時間設定部２２へ出力してもよい。また、図６Ｃは、図５Ａに示す制御マップの変形例を示したが、図５Ｂその他の制御マップを同様に変形してもよい。
【００３９】  自車両Ｖを目標停車位置に停車した場合に、当該自車両Ｖの周囲に人間が存在すると自車両Ｖに乗り込まれる可能性がある。したがって、自車両Ｖの周囲に人間などの移動物体が存在する場合は、移動物体が存在しない場合に比べ、自車両Ｖと遠隔操作器２８との距離Ｌが同じでも、時間ｔ（時間的間隔）を相対的に短く設定することで、第三者が自車両Ｖに乗り込むことを抑制できる。
【００４０】  図６Ｄは、施錠時間設定部２２で用いられる制御マップのさらに他の例を示す図であり、図５Ａに示す制御マップの変形例である。図６Ｄに示す例は、自車両Ｖが目標停車位置に停車した履歴情報を図１に示す停車履歴蓄積部２６に蓄積し、目標停車位置に停車した履歴回数が大きいほど、自車両Ｖと遠隔操作器２８との距離Ｌが同じでも、時間ｔ（時間的間隔）を相対的に長く設定する。つまり、図６Ｄに実線で示す自車両Ｖが目標停車位置に停車した履歴回数がＮ回以上である場合の時間ｔ−距離Ｌの制御線は、同図に点線で示す自車両Ｖが目標停車位置に停車した履歴回数がＮ回未満である場合の時間ｔ−距離Ｌの制御線に比べ、各距離Ｌにおける時間ｔが長くなるように設定される。
【００４１】  そのため、図１に示す停車履歴蓄積部２６は、その自車両Ｖが、目標駐車スペース設定器１１にて選択した駐車スペースＰＳ１や出庫スペースＳ１などの目標停車位置を蓄積し、今回の自律走行制御において目標駐車スペース設定器１１で選択された目標停車位置が、停車履歴蓄積部２６に何回蓄積されているかの停車回数を施錠時間設定部２２へ出力する。なお、図６Ｄは、図５Ａに示す制御マップの変形例を示したが、図５Ｂその他の制御マップを同様に変形してもよい。
【００４２】  操作者Ｕが選択する目標停車位置が、停車履歴蓄積部２６に多数回蓄積されているということは、その操作者Ｕは、その目標停車位置に頻繁に停車させるということであり、したがって、その目標停車位置の周囲の環境も熟知しているものと考えられる。これに対して、目標停車位置が初めて停車させる位置であったりすると、その目標停車位置の周囲の環境を知り得ないことも少なくない。したがって、目標停車位置に停車した履歴回数が大きいほど、自車両Ｖと遠隔操作器２８との距離Ｌが同じでも、時間ｔ（時間的間隔）を相対的に長く設定することで、施解錠装置２７によるドアの施錠のタイミングを適切なタイミング、すなわち状況に応じたタイミングに設定することができ、操作者Ｕが自車両Ｖのドアをリモコンキーなどで解錠する煩わしさが抑制できる。また、その目標停車位置に初めて停車させる場合のように周囲の環境に不慣れなときには、ドアの施錠のタイミングを短くすることで、第三者が自車両Ｖに乗り込むことも抑制できる。
【００４３】  次に図３及び図４を参照して、本実施形態のリモート駐車システム１の制御フローを説明する。図３は、本実施形態のリモート駐車システム１で実行される制御手順を示すフローチャートである。
【００４４】  ここでは、図７Ａ〜図７Ｄに示す後退駐車を自律駐車制御（入庫）により実行するシーンを説明する。まず、自車両Ｖが駐車スペースの近傍に到着したら、ステップＳ１にて、ドライバなどの操作者Ｕは、車載された目標駐車スペース設定器１１のリモート駐車の開始スイッチをＯＮしてリモート入庫モードを選択する。目標駐車スペース設定器１１は、ステップＳ２にて、車載された複数のカメラなどを用いて自車両Ｖが駐車可能な駐車スペースを探索し、ステップＳ３にて駐車可能な駐車スペースがあるか否かを判定する。駐車可能な駐車スペースがある場合はステップＳ４へ進み、駐車可能な駐車スペースがない場合はステップＳ１へ戻る。ステップＳ２により駐車可能な駐車スペースが検出されない場合は、「駐車スペースがありません」といった言語表示または音声にて操作者に報知し、本処理を終了してもよい。
【００４５】  目標駐車スペース設定器１１は、ステップＳ４にて、駐車可能な駐車スペースを車載のディスプレイに表示し、操作者Ｕに希望する駐車スペースの選択を促し、操作者Ｕが特定の駐車スペースを選択したら、その目標駐車位置情報を駐車経路生成部１５へ出力する。駐車経路生成部１５は、ステップＳ５において、自車両Ｖの現在位置と目標駐車位置とから、図７Ｂ〜図７Ｄに示す駐車経路Ｒ１，Ｒ２を生成するとともに、物体減速演算部１６は、物体検出器１３により検出された物体情報に基づいて、自律駐車制御時の減速開始タイミングを演算する。駐車経路生成部１５により生成された駐車経路は経路追従制御部１７へ出力され、物体減速演算部１６により演算された減速開始タイミングは、目標車速生成部１８へ出力される。
【００４６】  以上により自律駐車制御がスタンバイ状態となるので、操作者Ｕに自律駐車制御の開始の承諾を促し、操作者Ｕが開始を承諾することで自律駐車制御が開始される。図７Ａに示す後退駐車においては、図７Ａに示す現在位置から一旦前進し、図７Ｂに示す切り返し位置に到着したら、ステップＳ６にて操作者Ｕの降車を促したのち、図７Ｃに示すように左に操舵しながら後退し、図７Ｄに示す駐車スペースＰＳ１まで直進する。
【００４７】  このような自律駐車制御を実行中に、ステップＳ６にて降車が促され、操作者Ｕが遠隔操作器２８を持って降車すると、ステップＳ７にて、操作者Ｕは遠隔操作器２８を起動する。これにより遠隔操作が開始されるが、遠隔操作器２８による遠隔操作の開始入力は、遠隔操作器２８にインストールされた操作用ソフトウェアプログラムの起動のほか、ドアの開錠操作、ドアの施錠及び開錠操作、これらと操作用ソフトウェアプログラムの起動などを例示することができる。なお、ステップＳ６からステップＳ１１までの間は、自車両Ｖは停車状態とされる。
【００４８】  ステップＳ８においては、遠隔操作器２８の位置検出器１４により、遠隔操作器２８の位置が検出され、この位置情報が距離演算部２１に出力される。そして、ステップＳ９にて、遠隔操作器２８と自車両Ｖとのペアリング処理が行われる。ステップＳ９のペアリング処理により、自車両Ｖが遠隔操作器２８を認証して指令の受け付けが可能になると、ステップＳ１０にてリモート操作が開始され、ステップＳ１１にて、施解錠制御部２３から施解錠装置２７に解錠指令信号が出力されることで、ドアが解錠状態（アンロック）となる。このドアの解錠状態によって自律走行制御の開始条件が成立するので、ステップＳ１２へ進み、自律駐車制御が実行される。
【００４９】  図３のステップＳ１２〜Ｓ１４において、遠隔操作器２８の実行ボタンを押し続けることで、リモート駐車制御の実行が継続する（ステップＳ１３の「Ｙ」）。一方、操作者Ｕが遠隔操作器２８の停止ボタンを押すと（又は実行ボタンを離すと）、リモート駐車制御の停止指令が、経路追従制御部１７及び目標車速生成部１８（又はこれに代えて、操舵角制御部１９及び車速制御部２０でもよい）に送信され、リモート駐車制御が一時停止する（ステップＳ１３→Ｓ１４）。なお、リモート駐車制御が一時停止した状態で安全が確認された場合など、再び操作者Ｕが遠隔操作器２８の実行ボタンを押し続けることで、リモート駐車制御の実行が再開する（ステップＳ１４→Ｓ１３）。
【００５０】  すなわち、操作者Ｕが車外に降車して遠隔操作器２８の実行ボタンを押し続けると、経路追従制御部１７は、駐車経路に沿った目標操舵角を操舵角制御部１９へ逐次出力するとともに、目標車速生成部１８は、駐車経路に沿った目標車速を車速制御部２０へ逐次出力する。これにより、自車両Ｖは目標車速で駐車経路に沿って自律駐車制御を実行する。このとき、物体検出器１３は、自車両Ｖの周囲に存在する障害物などの物体の有無を検出し、駐車経路に障害物を検出した場合は、物体減速演算部１６において減速開始タイミングが演算されて自車両Ｖが減速又は停車する。なお、ステップＳ１１から後述するステップＳ１５までの処理は、ステップＳ１５にて自車両Ｖが目標とする駐車スペースに到着するまでの間、所定時間間隔で実行される。つまり、ステップＳ１１のドアの解錠指令信号は、自車両Ｖが目標とする駐車スペースに到着するまでの間、出力される。
【００５１】  ステップＳ１５にて、自車両Ｖが目標駐車スペースに到着したか否かを判断し、到着していない場合はステップＳ１１へ戻り、自車両Ｖが目標駐車スペースに到着した場合は、ステップＳ１６へ進み、停車後の自動施錠制御に遷移する。図４は、図３のステップＳ１６のサブルーチンの一例を示すフローチャートである。
【００５２】  図４のステップＳ１６１では、自車両Ｖの現在位置を車両位置検出器１２により検出するとともに、遠隔操作器２８の現在位置を遠隔操作器２８の位置検出器１４により検出し、これらを距離演算部２１へ出力する。ステップＳ１６２では、距離演算部２１では、自車両Ｖの現在位置と遠隔操作器２８の現在位置との距離Ｌを演算し、この距離Ｌを施錠時間設定部２２へ出力する。図６Ａ〜図６Ｄに示す他の制御要因を加味しない場合、施錠時間設定部２２は、ステップＳ１６７にて、図５Ａ又は図５Ｂに示す時間ｔ−距離Ｌの制御線に基づいて、自車両Ｖが駐車スペースＰＳ１に停車してから施錠するまでの時間ｔを設定し、これを施解錠制御部２３に出力し、施解錠制御部２３は、ステップＳ１６８にて施解錠装置２７を制御して時間ｔが経過した時にドアを施錠する。この様子を図８に示す。
【００５３】  図８は、図５Ａ又は図５Ｂに示す制御マップが適用されるシーンの一例を示す平面図であり、自車両Ｖからの距離がＬ１又はＬ２に遠隔操作器２８が位置するシーンと、適用される制御マップ（同図では図５Ａの制御マップを例示する）とを示す。自車両Ｖが、目標停車位置である駐車スペースＰＳ１に到着して停車した場合、自車両Ｖと遠隔操作器２８との距離がＬ１である場合は、自車両Ｖが駐車スペースＰＳ１に停車してから施錠するまでの時間をｔ１に設定し、自車両Ｖと遠隔操作器２８との距離がＬ２（＞Ｌ１）である場合は、自車両Ｖが駐車スペースＰＳ１に停車してから施錠するまでの時間をｔ２（＜ｔ１）に設定する。
【００５４】  図４のステップＳ１６３では、施錠時間設定部２２は、目標駐車スペース設定器１１から自律入庫モードか自律出庫モードかの情報を入力し、図５Ａ及び図５Ｂに示す制御マップに代えて、図６Ａに示す制御マップを適用し、ステップＳ１６７にて、図６Ａに示す時間ｔ−距離Ｌの制御線に基づいて、自車両Ｖが駐車スペースＰＳ１に停車してから施錠するまでの時間ｔを設定し、これを施解錠制御部２３に出力し、施解錠制御部２３は、ステップＳ１６８にて施解錠装置２７を制御して時間ｔが経過した時にドアを施錠する。この様子を図９に示す。
【００５５】  図９は、図６Ａに示す制御マップが適用されるシーンの一例を示す平面図であり、自車両Ｖが自律入庫モードで入庫するシーン（左上図）と、自車両Ｖが自律出庫モードで出庫するシーン（左下図）と、適用される制御マップ（同図では図６Ａの制御マップを右図に例示する）とを示す。同図の左上図に示すように、自車両Ｖが、自律入庫モードにより目標停車位置である駐車スペースＰＳ１に到着して停車した場合、自車両Ｖと遠隔操作器２８との距離がＬであるときは、自車両Ｖが駐車スペースＰＳ１に停車してから施錠するまでの時間を、右図に点線で示すｔ１に設定する。これに対し、同図の左下図に示すように、自車両Ｖが、自律出庫モードにより目標停車位置である出庫スペースＳ１に到着して停車した場合、自車両Ｖと遠隔操作器２８との距離がＬであるときは、自車両Ｖが出庫スペースＳ１に停車してから施錠するまでの時間を、右図に実線で示すｔ２（＞ｔ１）に設定する。
【００５６】  図４のステップＳ１６４では、相対移動演算部２５は、自車両Ｖが目標停車位置に停車する前後の自車両Ｖの位置、車速及び走行方向を車両位置検出器１２から入力し、また自車両Ｖが目標停車位置に停車する前後の、遠隔操作器２８の位置、移動速度及び移動方向を遠隔操作器２８の位置検出器１４から入力する。また、相対移動演算部２５は、自車両Ｖの移動方向と遠隔操作器２８の移動方向とを演算し、自車両Ｖが目標停車位置に停車する前後において、遠隔操作器２８に対して自車両Ｖが離れる方向へ走行しているのか、自車両Ｖに対して遠隔操作器２８が離れる方向へ移動しているのかを判断する。そして、図５Ａ及び図５Ｂに示す制御マップに代えて、図６Ｂに示す制御マップを適用し、ステップＳ１６７にて、図６Ｂに示す時間ｔ−距離Ｌの制御線に基づいて、自車両Ｖが駐車スペースＰＳ１に停車してから施錠するまでの時間ｔを設定し、これを施解錠制御部２３に出力し、施解錠制御部２３は、ステップＳ１６８にて施解錠装置２７を制御して時間ｔが経過した時にドアを施錠する。この様子を図１０に示す。
【００５７】  図１０は、図６Ｂに示す制御マップが適用されるシーンの一例を示す平面図であり、自車両Ｖが自律入庫モードで入庫している間のシーン（左上図）と、自車両Ｖが自律入庫モードで入庫したのち操作者が立ち去るシーン（左下図）と、適用される制御マップ（同図では図６Ｂの制御マップを右図に例示する）とを示す。同図の左上図に示すように、自車両Ｖが、自律入庫モードにより目標停車位置である駐車スペースＰＳ１に到着して停車するまでの間、自車両Ｖと遠隔操作器２８との距離はＬ１〜Ｌ２になり、停車したときの距離はＬ２になるが、遠隔操作器２８、すなわち操作者Ｕの位置は変わらず、自車両Ｖのみが遠ざかるときは、自車両Ｖが駐車スペースＰＳ１に停車してから施錠するまでの時間を、右図に実線で示すｔ２に設定する。これに対し、同図の左下図に示すように、自車両Ｖが、自律入庫モードにより目標停車位置である駐車スペースＰＳ１に到着して停車してから、遠隔操作器２８、すなわち操作者Ｕが遠ざかる方向へ移動した場合（自車両Ｖと遠隔操作器２８との距離がＬ１からＬ２に変更された場合）、自車両Ｖが駐車スペースＰＳ１に停車してから施錠するまでの時間を、右図に点線で示すｔ１（＜ｔ２）に設定する。
【００５８】  図４のステップＳ１６５では、移動物体検出部２４は、物体検出器１３からの物体の位置を所定時間間隔で入力し、その物体の位置が時間的に変化している場合は移動物体であると判断し、この移動物体の存在を施錠時間設定部２２へ出力する。そして、図５Ａ及び図５Ｂに示す制御マップに代えて、図６Ｃに示す制御マップを適用し、ステップＳ１６７にて、図６Ｃに示す時間ｔ−距離Ｌの制御線に基づいて、自車両Ｖが駐車スペースＰＳ１に停車してから施錠するまでの時間ｔを設定し、これを施解錠制御部２３に出力し、施解錠制御部２３は、ステップＳ１６８にて施解錠装置２７を制御して時間ｔが経過した時にドアを施錠する。
【００５９】  図１１は、図６Ｃに示す制御マップが適用されるシーンの一例を示す平面図であり、自車両Ｖが自律入庫モードで入庫して停車したシーン（左上図）と、自車両Ｖが自律入庫モードで入庫して停車したときに人間Ｕ１が周囲に存在するシーン（左下図）と、適用される制御マップ（同図では図６Ｃの制御マップを右図に例示する）とを示す。同図の左上図に示すように、自車両Ｖが、自律入庫モードにより目標停車位置である駐車スペースＰＳ１に到着して停車した場合、自車両Ｖと遠隔操作器２８との距離はＬになるが、自車両Ｖの周囲に移動物体が存在しないときは、自車両Ｖが駐車スペースＰＳ１に停車してから施錠するまでの時間を、右図に実線で示すｔ２に設定する。これに対し、同図の左下図に示すように、自車両Ｖが、自律入庫モードにより目標停車位置である駐車スペースＰＳ１に到着して停車した場合、自車両Ｖの周囲に人間Ｕ１が存在するとき、駐車スペースＰＳ１に停車してから施錠するまでの時間を、右図に点線で示すｔ１（＜ｔ２）に設定する。
【００６０】  図４のステップＳ１６６では、停車履歴蓄積部２６は、今回の自律走行制御において目標駐車スペース設定器１１で選択された目標停車位置が、停車履歴蓄積部２６に何回蓄積されているかの停車回数を施錠時間設定部２２へ出力する。そして、図５Ａ及び図５Ｂに示す制御マップに代えて、図６Ｄに示す制御マップを適用し、ステップＳ１６７にて、図６Ｄに示す時間ｔ−距離Ｌの制御線に基づいて、自車両Ｖが駐車スペースＰＳ１に停車してから施錠するまでの時間ｔを設定し、これを施解錠制御部２３に出力し、施解錠制御部２３は、ステップＳ１６８にて施解錠装置２７を制御して時間ｔが経過した時にドアを施錠する。すなわち、その目標停車位置への停車履歴回数が大きいほど、自車両Ｖが駐車スペースＰＳ１に停車してから施錠するまでの時間ｔを長く設定する。
【００６１】  以上のとおり、本実施形態のリモート駐車システム１によれば、自車両Ｖが自律走行制御を実行中は、自動施解錠機能によるドアの施解錠装置２７の施錠を禁止するので、遠隔操作が続行できる一方、自車両Ｖが目標停車位置に停車してからの自動施錠時間ｔを、自車両Ｖと遠隔操作器２８との距離Ｌに応じた時間に設定しているので、状況に応じたタイミングでドアを自動施錠することができる。
【００６２】  また、本実施形態のリモート駐車システム１によれば、距離演算部２１で演算された自車両Ｖと遠隔操作器２８との距離Ｌが短いほど、時間ｔを相対的に長く設定するので、施解錠装置２７によるドアの施錠のタイミングを状況に応じたタイミングに設定することができ、操作者Ｕが自車両Ｖのドアをリモコンキーなどで解錠する煩わしさが抑制できる。
【００６３】  また、本実施形態のリモート駐車システム１によれば、自律出庫モードの場合には、自律入庫モードの場合に比べて、距離Ｌに対する時間ｔを相対的に長く設定することで、施解錠装置２７によるドアの施錠のタイミングを状況に応じたタイミングに設定することができ、操作者Ｕが自車両Ｖのドアをリモコンキーなどで解錠する煩わしさが抑制できる。また、自律入庫モードの場合には、ドアの施錠のタイミングを短くすることで、第三者が自車両Ｖに乗り込むことも抑制できる。
【００６４】  また、本実施形態のリモート駐車システム１によれば、遠隔操作器２８に対して自車両Ｖが離れる方向へ走行している場合は、自車両Ｖに対して遠隔操作器２８が離れる方向へ移動している場合に比べ、自車両Ｖと遠隔操作器２８との距離Ｌが同じでも、時間ｔ（時間的間隔）を相対的に長く設定することで、施解錠装置２７によるドアの施錠のタイミングを状況に応じたタイミングに設定することができ、操作者Ｕが自車両Ｖのドアをリモコンキーなどで解錠する煩わしさが抑制できる。また、自車両Ｖに対して遠隔操作器２８が離れる方向へ移動している場合には、ドアの施錠のタイミングを短くすることで、第三者が自車両Ｖに乗り込むことも抑制できる。
【００６５】  また、本実施形態のリモート駐車システム１によれば、自車両Ｖの周囲に人間などの移動物体が存在する場合は、移動物体が存在しない場合に比べ、自車両Ｖと遠隔操作器２８との距離Ｌが同じでも、時間ｔ（時間的間隔）を相対的に短く設定することで、第三者が自車両Ｖに乗り込むことを抑制できる。
【００６６】  また、本実施形態のリモート駐車システム１によれば、目標停車位置に停車した履歴回数が大きいほど、自車両Ｖと遠隔操作器２８との距離Ｌが同じでも、時間ｔ（時間的間隔）を相対的に長く設定することで、施解錠装置２７によるドアの施錠のタイミングを状況に応じたタイミングに設定することができ、操作者Ｕが自車両Ｖのドアをリモコンキーなどで解錠する煩わしさが抑制できる。また、その目標停車位置に初めて停車させる場合のように周囲の環境に不慣れなときには、ドアの施錠のタイミングを短くすることで、第三者が自車両Ｖに乗り込むことも抑制できる。
【００６７】  上記操舵角制御部１９及び車速制御部２０は本発明に係る走行制御器に相当し、上記目標駐車スペース設定器１１、駐車経路生成部１５、経路追従制御部１７及び目標車速生成部１８は本発明に係る制御器に相当し、上記車両位置検出器１２，遠隔操作器２８の位置検出器１４及び距離演算部２１は本発明に係る距離検出器に相当する。
【符号の説明】
【００６８】１…リモート駐車システム
１１…目標駐車スペース設定器
１２…車両位置検出器
１３…物体検出器
１４…遠隔操作器の位置検出器
１５…駐車経路生成部
１６…物体減速演算部
１７…経路追従制御部
１８…目標車速生成部
１９…操舵角制御部
２０…車速制御部
２１…距離演算部
２２…施錠時間設定部
２３…施解錠制御部
２４…移動物体検出部
２５…相対移動演算部
２６…停車履歴蓄積部
２７…施解錠装置
２８…遠隔操作器
２８１…アンテナ
２９…アンテナ
Ｖ…自車両
Ｖ１〜Ｖ４…他車両
ＡＣ１…読み取った認証コード
ＰＳ１，ＰＳ２，ＰＳ３…駐車スペース
Ｓ１…出庫スペース
Ｕ…操作者
Ｗ…障害物（物体）
Ｒ１，Ｒ２…駐車経路
Ｌ，Ｌ１，Ｌ２…距離
ｔ，ｔ１，ｔ２…時間（時間的間隔）
【図１】
2020121012.tif 000003
【図２】
2020121012.tif 000004
【図３】
2020121012.tif 000005
【図４】
2020121012.tif 000006
【図５Ａ】
2020121012.tif 000007
【図５Ｂ】
2020121012.tif 000008
【図６Ａ】
2020121012.tif 000009
【図６Ｂ】
2020121012.tif 000010
【図６Ｃ】
2020121012.tif 000011
【図６Ｄ】
2020121012.tif 000012
【図７Ａ】
2020121012.tif 000013
【図７Ｂ】
2020121012.tif 000014
【図７Ｃ】
2020121012.tif 000015
【図７Ｄ】
2020121012.tif 000016
【図８】
2020121012.tif 000017
【図９】
2020121012.tif 000018
【図１０】
2020121012.tif 000019
【図１１】
2020121012.tif 000020
【国際調査報告】
2020121012.tif 000021
2020121012.tif 000022
2020121012.tif 000023
2020121012.tif 000024